(57)【特許請求の範囲】
【請求項１】
鍵盤シャーシと、
この鍵盤シャーシ上に上下方向に回動可能に取り付けられた鍵と、
上端部が前記鍵の下側にピン部材により上下方向に回動自在に取り付けられるとともに下端部にアクション加重を付与するための錘が設けられたハンマーアームと、
押鍵時に前記ハンマーアームの回動支点となるように前記ハンマーアームの上端部及び下端部の間の中間部を支持する支点部材と、
を備え、前記支点部材は前記鍵盤シャーシに前記鍵の長手方向に沿って移動可能に設けられることにより、前記鍵に付与されるアクション荷重を変位させることを特徴とする鍵盤装置。
【請求項２】
鍵盤シャーシと、
この鍵盤シャーシ上に上下方向に回動可能に取り付けられた鍵と、
上端部に前記鍵の下側に当接する作用点部材が設けられているとともに、下端部にアクション加重を付与するための錘が設けられたハンマーアームと、
押鍵時に前記ハンマーアームの回動支点となるように前記ハンマーアームの上端部及び下端部の間の中間部を支持する支点部材と、
を備え、前記作用点部材は、前記鍵盤シャーシに前記鍵の長手方向に沿って移動可能に設けられることにより、前記鍵に付与されるアクション荷重を変位させることを特徴とする鍵盤装置。
【請求項３】
前記ハンマーアームによって前記鍵が押し上げられた初期状態において、前記鍵の長手方向に沿って移動可能に設けられ、前記ハンマーアームの下端部が当接する制動部材を備えたことを特徴とする請求項１または２記載の鍵盤装置。
【請求項４】
前記支点部材または前記作用点部材を前記鍵の長手方向に沿って移動させる第１の駆動手段と、前記制動部材を前記鍵の長手方向に沿って移動させる第２の駆動手段とを備えたことを特徴とする請求項３記載の鍵盤装置。
【発明の詳細な説明】
【０００１】
【発明の属する技術分野】
この発明は、電子鍵盤楽器に用いられる鍵盤装置に関する。
【０００２】
【従来の技術】
電子ピアノなどの電子鍵盤楽器では、アコースティックピアノの鍵タッチ感に近似した鍵タッチ感を得るために、鍵の下方に所定の重量を有するハンマーアームを上下方向に回動自在に設け、鍵の押鍵動作に伴ってハンマーアームがそれ自身の重量に抗して回動変位することにより、鍵に所定のアクション荷重を付与するようにしたものがある。
このような電子鍵盤楽器は、一般に、多数の鍵が配列された鍵盤シャーシに支持軸を固定し、この支持軸にハンマーアームを各鍵に対応させて回動自在に取り付け、各ハンマーアームの上端部が常に鍵のほぼ所定位置に当接することにより、各ハンマーアームのアクション荷重が各鍵に伝達されるように構成されている。
【０００３】
【発明が解決しようとする課題】
しかしながら、このような電子鍵盤楽器では、ハンマーアームの支持軸が鍵盤シャーシに固定されているため、鍵の押鍵動作時にハンマーアームが常に一定の回動支点を中心に回動し、かつハンマーアームの上端部が鍵のほぼ所定位置に当接しているため、鍵に付与されるアクション荷重が一定となり、このためハンマーアームの重量を変えなければ、予め定められた鍵タッチ感しか得られず、演奏者に合った鍵タッチ感を得ることができないという問題があった。
この発明の課題は、ハンマーアームの重量を変えずに、演奏者が簡単に鍵タッチを調節でき、演奏者に合った鍵タッチ感が得られるようにすることである。
【０００４】
【課題を解決するための手段】
この発明は、鍵盤シャーシと、この鍵盤シャーシ上に上下方向に回動可能に取り付けられた鍵と、上端部が前記鍵の下側にピン部材により上下方向に回動自在に取り付けられるとともに下端部にアクション加重を付与するための錘が設けられたハンマーアームと、押鍵時に前記ハンマーアームの回動支点となるように前記ハンマーアームの上端部及び下端部の間の中間部を支持する支点部材と、を備え、前記支点部材は前記鍵盤シャーシに前記鍵の長手方向に沿って移動可能に設けられることにより、前記鍵に付与されるアクション荷重を変位させることを特徴とする。したがって、この発明によれば、変位手段によって鍵に付与されるアクション荷重を変位させることにより、アクション荷重を調節することができ、このためハンマーアームの重量を変えなくても、ハンマーアームの慣性モーメントを調節することができ、鍵に付与されるアクション荷重を調節することができる。このため、演奏者が簡単に鍵タッチを調節することができるとともに、演奏者に合った鍵タッチ感を得ることができる。
【０００６】
また本発明は、鍵盤シャーシと、この鍵盤シャーシ上に上下方向に回動可能に取り付けられた鍵と、上端部に前記鍵の下側に当接する作用点部材が設けられているとともに、下端部にアクション加重を付与するための錘が設けられたハンマーアームと、押鍵時に前記ハンマーアームの回動支点となるように前記ハンマーアームの上端部及び下端部の間の中間部を支持する支点部材と、を備え、前記作用点部材は、前記鍵盤シャーシに前記鍵の長手方向に沿って移動可能に設けられることにより、前記鍵に付与されるアクション荷重を変位させることを特徴とする。したがってハンマーアームの重量を変えなくても、ハンマーアームから鍵に伝達される慣性モーメントを調節することができ、鍵に付与されるアクション荷重を調節することができる。
【０００７】
さらに、請求項４に記載のごとく、ハンマーアームによって鍵が押し上げられた初期状態において、鍵の長手方向に沿って移動可能に設けられ、ハンマーアームの下端部が当接する制動部材を備えた構成であれば、支点部材の移動または作用点部材の移動によってハンマーアームの下端部の上下位置が変位しても、鍵の初期状態でハンマーアームの下端部を制動部材に確実に当接させることができ、このため押鍵された鍵が初期位置に回動復帰する際にハンマーアームの不要な跳ね返りを防ぐことができる。
さらにまた、請求項５に記載のごとく、支点部材または作用点部材を鍵の長手方向に沿って移動させる第１の駆動手段と、制動部材を鍵の長手方向に沿って移動させる第２の駆動手段とを備えていれば、演奏者に合った鍵タッチ感を自動的に調節することができる。
【０００８】
【発明の実施の形態】
以下、図１〜図７を参照して、この発明の鍵盤装置の第１実施形態について説明する。
図１は電子鍵盤楽器の鍵盤装置の断面図である。この鍵盤装置は、楽器本体ケース１上に合成樹脂製または板金製の鍵盤シャーシ２が取り付けられ、この鍵盤シャーシ２上に合成樹脂製の複数の鍵（白鍵と黒鍵、ただし白鍵のみについて説明する。）３が並列に配置された構造になっている。この場合、鍵３は、その後端部（同図では右端部）に取付部４が形成され、この取付部４の下端部に形成された逆Ｖ字状の嵌合凹部５が鍵盤シャーシ２の後端部に設けられた軸６に嵌合し、これにより軸６を中心に上下方向に回動可能となっている。
【０００９】
鍵３の中間部における下端部間には、スイッチ押圧部７が形成されている。このスイッチ押圧部７に対応する個所の鍵盤シャーシ２の下面には、回路基板８が取り付けられている。この回路基板８の上面には、鍵３のスイッチ押圧部７に対応するゴムスイッチ９が鍵盤シャーシ２に設けられた各開口孔１０を通してその上方に突出した状態で設けられている。
鍵３は、後述するハンマーアーム１１によって上方に付勢されているが、通常は鍵３の前部に垂設されたほぼＬ字状のストッパ片１２が鍵盤シャーシ２の下面に設けられたフェルトなどの上限ストッパ部材１３に当接することにより、所定の初期位置（上限位置）に位置規制されている。鍵盤シャーシ２の前端部には、鍵３の左右の横振れを阻止するとともに鍵３の上下動をガイドするための鍵ガイド１４が設けられている。また、上限ストッパ部材１３の上方における鍵盤シャーシ２の上面には、鍵３の下限位置を規制するためのフェルトなどの下限ストッパ部材１５が設けられている。
【００１０】
鍵３の中間部におけるほぼ上面とスイッチ押圧部７との間の前側には、ハンマーアーム１１の上端部１１ａがピン部材１６によって上下方向に回動自在に取り付けられている。このハンマーアーム１１は、上端部１１ａ、中間部１１ｂ、および下端部１１ｃとからなり、下端部１１ｃが鍵盤シャーシ２に設けられた挿入孔１７を通して鍵盤シャーシ２の下側に配置され、この下端部１１ｃに錘１８が設けられ、この錘１８の重量によって図１において時計方向に付勢された構造になっている。
【００１１】
鍵盤シャーシ２の挿入孔１７の前側に位置する上面には、ハンマーアーム１１の中間部１１ｂを支持する支点部材（変位手段）１９が鍵３の長手方向に沿って移動可能に設けられている。この支点部材１９は、図３および図４に示すように、鍵盤シャーシ２上に鍵３の配列方向に所定間隔で設けられた複数のガイドレール２０と、これらガイドレール２０上にスライド可能に載置された支持棒２１とからなり、支持棒２１が鍵３の配列方向に沿って配置され、この支持棒２１の両端が第１の駆動装置２２によって駆動される構造になっている。この場合、ガイドレール２０は、鍵盤シャーシ２の前側が低く、後側が高くなるように傾斜している。
第１の駆動装置２２は、支持棒２１の両端にガイドレール２０と同じ傾きをもって設けられた取付板２３と、この取付板２３上に鍵３の長手方向に沿って設けられたラック２４と、このラック２４に噛み合って回転するウォームホイル２５と、このウォームホイル２５を回転させるステッピングモータ２６とからなり、これらが鍵盤シャーシ２の左右両側に配置された構造になっている。
【００１２】
また、ハンマーアーム１１の下端部１１ｃの下方に対応する楽器本体ケース１上には、鍵３が初期状態のときにハンマーアーム１１の下端部１１ｃが当接する制動部材２７が鍵３の長手方向に沿って移動可能に設けられている。この制動部材２７は、図３および図４に示すように、楽器本体ケース１上に鍵３の配列方向に所定間隔でほぼ水平に設けられた複数のガイドレール２８と、これらガイドレール２８上に鍵３の配列方向に沿ってスライド可能に載置された載置板２９と、この載置板２９上に設けられたゴムやフェルトなどのダンパ部材３０とからなり、載置板２９の両端が第２の駆動装置３１によって駆動される構造になっている。
第２の駆動装置３１は、第１の駆動装置２２とほぼ同様、載置板２９の両端部の上面に鍵３の長手方向に沿ってほぼ水平に設けられたラック２４と、このラック２４に噛み合って回転するウォームホイル２５と、このウォームホイル２５を回転させるステッピングモータ２６とからなり、これらが鍵盤シャーシ２の左右両端に配置された構造になっている。
なお、鍵盤シャーシ２の後部の下面には、押鍵時にハンマーアーム１１の下端部１１ｃの上限位置を規制するゴムやフェルトなどの緩衝部材３２が設けられている。
【００１３】
次に、鍵３を鍵盤シャーシ２に組み付ける場合について、図２および図５を参照して説明する。
まず、図２に示すように、鍵３の中間部におけるスイッチ押圧部７の前側上方にハンマーアーム１１の上端部１１ａをピン部材８によって上下方向に回動可能に取り付ける。この状態では、ハンマーアーム１１が下端部１１ｃの錘１８の重量によってピン部材８を中心に時計方向に回動するが、図５に示すように、ハンマーアーム１１の中間部１１ｂがスイッチ押圧部７に当接し、その回動動作が規制され、ハンマーアーム１１が所定角度に保持される。このため、鍵３を持ち上げて、ハンマーアーム１１の下端部１１ｃを鍵盤シャーシ２の挿入孔１７に挿入する際、ハンマーアーム１１が所定角度に保持されているので、ハンマーアーム１１の下端部１１ｃを鍵盤シャーシ２の挿入孔１７に容易に挿入することができる。この後、鍵３の取付部４の嵌合凹部５を鍵盤シャーシ２の軸６に嵌合させることにより、鍵３を鍵盤シャーシ２に容易に組み付けることができる。なお、鍵３が組み付けられたときには、ハンマーアーム１１の中間部１１ｂが支点部材１９の支持棒２１に当接して支持されるとともに、ハンマーアーム１１の下端部１１ｃが制動部材２７のダンパ部材３０に当接する。
【００１４】
このような鍵盤装置では、鍵３を押鍵操作すると、鍵３が後端部の軸６を中心に下方に回動し、スイッチ押圧部７がゴムスイッチ９をオンさせる。このときには、ハンマーアーム１１の上端部１１ａが鍵３と共に下方に移動するので、ハンマーアーム１１はその中間部１１ｂが支持された支点部材１９の支持棒２１を中心に図１において反時計方向に回動し、下端部１１ｃが錘１８の重量に抗して上方に移動することになる。このため、鍵３には錘１８の重量が作用し、鍵タッチ感が重くなり、アコースティックピアノの鍵タッチ感に近似した鍵タッチ感が得られる。
【００１５】
次に、このような鍵タッチを調節する場合について説明する。
まず、鍵タッチを軽くする場合には、図示しない調整用スイッチを操作して第１、第２の駆動装置２２、３１を駆動して、図６に示すように支点部材１９および制動部材２７を鍵３の後方に向けて所定量移動させれば良い。すなわち、第１の駆動装置２２のステッピングモータ２６を駆動してウォームホイル２５を所定量回転させると、このウォームホイル２５の回転に従ってラック２４が鍵３の後方に向けて移動し、これにより支点部材１９の支持棒２１が鍵３の後方に移動する。このため、支点部材１９の支持棒２１がハンマーアーム１１の上端部１１ａのピン部材１６から離れるので、ハンマーアーム１１の慣性モーメントが小さくなり、ハンマーアーム１１が鍵３に付与するアクション荷重が小さくなり、鍵タッチが軽くなる。このときには、支点部材１９の支持棒２１の後方への移動に伴って、ハンマーアーム１１の下端部１１ｃが上方に変位する。このため、第２の駆動装置３１のステッピングモータ２６を駆動し、上記と同様に、制動部材２７のダンパ部材３０を鍵３の後方に移動させ、ハンマーアーム１１の下端部１１ｃにダンパ部材３０を当接させる。これにより、ハンマーアーム１１の下端部１１ｃが上方に変位しても、鍵３の初期位置でダンパ部材３０がハンマーアーム１１の下端部１１ｃに確実に当接するので、押鍵された鍵３が初期位置に回動復帰する際にハンマーアーム１１の不要な跳ね返りを防ぐことができる。
【００１６】
また、鍵タッチを重くする場合には、上記とは逆に第１、第２の駆動装置２２、３１を駆動して、図７に示すように支点部材１９および制動部材２７を鍵３の前方に向けて所定量移動させれば良い。このときには、支点部材１９の支持棒２１が鍵３の前方に移動し、支点部材１９の支持棒２１がハンマーアーム１１の上端部１１ａのピン部材１６に近づくので、ハンマーアーム１１の慣性モーメントが大きくなり、ハンマーアーム１１が鍵３に付与するアクション荷重が大きくなり、鍵タッチが重くなる。このように支点部材１９の支持棒２１が鍵３の前方に移動すると、これに伴ってハンマーアーム１１の下端部１１ｃが下方に変位するので、第２の駆動装置３１のステッピングモータ２６を駆動し、制動部材２７のダンパ部材３０を鍵３の前方に移動させ、初期状態におけるハンマーアーム１１の下端部１１ｃにダンパ部材３０を当接させる。このため、ハンマーアーム１１の下端部１１ｃが下方に変位しても、鍵３の初期位置でダンパ部材３０がハンマーアーム１１の下端部１１ｃに確実に当接するので、押鍵された鍵３が初期位置に回動復帰する際にハンマーアーム１１の不要な跳ね返りを防ぐことができる。
【００１７】
このように、この鍵盤装置では、支点部材１９を鍵３の長手方向に沿って移動させ、ハンマーアーム１１に対する支点部材１９の支点位置を変位させることにより、ハンマーアーム１１の慣性モーメントを調節することができ、鍵３に付与されるハンマーアーム１１のアクション荷重を調節することができ、このためハンマーアーム１１の重量を変えなくとも、演奏者が簡単に鍵タッチを調節することができ、演奏者に合った鍵タッチ感を得ることができる。
【００１８】
なお、上記第１実施形態では、支点部材１９および制動部材２７をそれぞれ第１、第２の駆動装置２２、３１で駆動するようにしたが、これに限らず、操作レバーによって移動させるようにしても良い。
【００１９】
次に、図８〜図１２を参照して、この発明の鍵盤装置の第２実施形態について説明する。これらの図において、図１〜図７と同一名称部分には同一の符号を付し、その説明を適宜省略する。
図８は電子鍵盤楽器の鍵盤装置の断面図である。この鍵盤装置では、ハンマーアーム１１の中間部１１ｂに取付部４１が設けられ、取付部４１の下端部に形成された逆Ｕ字状の嵌合凹部４２が鍵盤シャーシ２の中間部に設けられた支持軸４３に嵌合し、これによりハンマーアーム１１が支持軸４３を中心に上下方向に回動自在となっている。ハンマーアーム１１の上端部１１ａは、鍵３の初期位置において鍵３の下面とほぼ平行になっている。ハンマーアーム１１の上端部１１ａにおける両側部の左端部、中間部、右端部の３個所には嵌合凹部４４ａ、４４ｂ、４４ｃが相対向して設けられている。ハンマーアーム１１の上端部１１ａには鍵３に当接して作用点となる作用点部材（変位手段）４５が長手方向に沿って移動可能に設けられている。作用点部材４５は、図９（Ａ）及び（Ｂ）に示すようにその側面にハンマーアーム１１の上端部１１ａが挿入される挿入孔４６が形成され、挿入孔４６の中間部に嵌合突部４７が相対向して設けられている。そして、作用点部材４５はその嵌合突部４７がハンマーアーム１１の上端部１１ａに設けられた嵌合凹部４４ａ、４４ｂ、４４ｃに嵌合されることにより、ハンマーアーム１１の上端部１１ａにおける左端部、中間部、右端部の３個所で係止されるようになっている。ハンマーアーム１１の下端部１１ｃの下方に対応する楽器本体ケース１上には、鍵３が初期状態のときにハンマーアーム１１の下端部１１ｃが当接するゴムやフェルトなどの制動部材４８が設けられている。鍵盤シャーシ２の後部の下面には、押鍵時にハンマーアーム１１の下端部１１ｃの上限位置を規制するゴムやフェルトなどの緩衝部材３２が設けられている。なお、ハンマーアーム１１の下端部１１ｃには、図１１及び図１２に示すように、ハンマーアーム１１の下端部１１ｃを緩衝部材３２に当接させるためのストッパ部材４９が適宜取り付けられている。
【００２０】
この鍵盤装置では、鍵３を押鍵操作すると、図１０に示すように鍵３が後端部の軸６を中心に下方に回動し、スイッチ押圧部７がゴムスイッチ９をオンさせる。このときには、ハンマーアーム１１の上端部１１ａが作用点部材４５を介して鍵３と共に下方に移動するので、ハンマーアーム１１はその中間部１１ｂの取付部４１が支持された支持軸４３を中心に図１０において反時計方向に回動し、下端部１１ｃが錘１８の重量に抗して上方に移動することになる。このため、鍵３には錘１８の重量が作用し、鍵タッチ感が重くなり、アコースティックピアノの鍵タッチ感に近似した鍵タッチ感が得られる。
【００２１】
次に、鍵タッチを調節する場合について説明する。
まず、鍵タッチを重くする場合には、図８に示すように作用点部材４５をハンマーアーム１１の上端部１１ａの右端部に移動し、作用点部材４５の嵌合突部４７を嵌合凹部４４ｃに嵌合する。すると、作用点部材４５が支持軸４３に近づき、作用点部材４５の上端部が鍵３と当接する位置が支持軸４３に近づくので、ハンマーアーム１１から鍵３に伝達される慣性モーメントが大きくなり、ハンマーアーム１１が鍵３に付与するアクション荷重が大きくなり、鍵タッチが重くなる。
【００２２】
また、鍵タッチを軽くする場合には、図１１に示すように作用点部材４５をハンマーアーム１１の上端部１１ａの中央部に移動し、作用点部材４５の嵌合突部４７を嵌合凹部４４ｂに嵌合する。すると、作用点部材４５が支持軸４３から離れ、作用点部材４５の上端部が鍵３と当接する位置が支持軸４３から離れるので、ハンマーアーム１１から鍵３に伝達される慣性モーメントが小さくなり、ハンマーアーム１１が鍵３に付与するアクション荷重が小さくなり、鍵タッチが軽くなる。
【００２３】
また、鍵タッチをさらに軽くする場合には、図１２に示すように作用点部材４５をハンマーアーム１１の上端部１１ａの左端部に移動し、作用点部材４５の嵌合突部４７を嵌合凹部４４ａに嵌合する。すると、作用点部材４５が支持軸４３からさらに離れ、作用点部材４５の上端部が鍵３と当接する位置が支持軸４３からさらに離れるので、ハンマーアーム１１から鍵３に伝達される慣性モーメントがさらに小さくなり、ハンマーアーム１１が鍵に付与するアクション荷重がさらに小さくなり、鍵タッチがさらに軽くなる。
【００２４】
ところで、ハンマーアーム１１の回動支点は固定されており、またハンマーアーム１１の上端部１１ａは、鍵３の初期位置において鍵３の下面とほぼ平行となっているので、作用点部材４５を鍵３の長手方向に沿って移動させ、鍵３に対する作用点部材４５の当接位置を変位させてもハンマーアーム１１の下端部１１ｃの位置は変位しない。したがって、制動部材４８が移動しなくても、鍵３の初期位置においてハンマーアーム１１の下端部１１ｃが制動部材４８に確実に当接し、押鍵された鍵３が初期位置に回動復帰する際にハンマーアーム１１の不要な跳ね返りを防ぐことができる。
【００２５】
このように、この鍵盤装置では、作用点部材４５を鍵３の長手方向に沿って移動させ、鍵３に対する作用点部材４５の当接位置を変位させることにより、ハンマーアーム１１から鍵３に伝達される慣性モーメントを調節することができ、鍵３に付与されるアクション荷重を調節することができ、このためハンマーアーム１１の重量を変えなくても、演奏者が簡単に鍵タッチを調節でき、演奏者に合った鍵タッチ感を得ることができる。
すなわち、この鍵盤装置では、図８に示すように、鍵支点から作用点までの距離をＬとし、ハンマーアーム支点から作用点までの距離をＲとし、鍵３の慣性モーメントをＩ1とし、ハンマーアーム１１の慣性モーメントをＩ2とすると、全体の慣性モーメントＩは、
Ｉ＝Ｉ1＋（ｌ2／ｒ2）×Ｉ2
で表される。このため、作用点部材４５を鍵３の長手方向に沿って移動させ、鍵３に対する作用点部材４５の当接位置を変位させることにより、ハンマーアーム１１から鍵３に伝達される慣性モーメントを調節することができ、鍵３に付与されるアクション荷重を調節することができる。
【００２６】
なお、上記第２実施形態では、作用点部材４５の移動手段について説明していないが、第１実施形態において説明した第１の駆動装置２２と同様の装置によって移動させるようにしても良い。
また、上記第２実施形態では、ゴムやフェルトなどからなる固定された制動部材４８について説明したが、これに限らない。例えば、鍵３の初期位置においてハンマーアーム１１の上端部１１ａが鍵３に対して平行でなくなり、ハンマーアーム１１の下端部１１ｃの位置が作用点部材４５の位置に応じて変位するような場合には、制動部材を第１実施形態において説明した制動部材２７と同様の構造としても良い。また、制動部材を第１実施形態において説明した第２の駆動装置３１と同様の装置によって移動させるようにしても良い。
さらに、上記第１及び第２実施形態では、ハンマーアーム１１の錘１８の位置を固定した場合について説明したが、これに限らず、ハンマーアーム１１の錘１８の位置を移動させるようにしても良い。
【００２７】
【発明の効果】
以上説明したように、この発明によれば、変位手段によって鍵に付与されるアクション荷重を変位させることにより、アクション荷重を調節することができ、このためハンマーアームの重量を変えなくても、演奏者が簡単に鍵タッチを調節することができるとともに、演奏者に合った鍵タッチ感を得ることができる。
【図面の簡単な説明】
【図１】この発明の鍵盤装置の第１実施形態を示した断面図。
【図２】図１の鍵にハンマーアームを取り付ける状態を示した分解図。
【図３】図１の鍵およびハンマーアームを取り外した状態の概略平面図。
【図４】図３の側面図。
【図５】図２のハンマーアームが取り付けられた鍵を鍵盤シャーシに取り付ける状態を示した分解図。
【図６】図１の鍵盤装置において鍵タッチを軽くしたときの状態を示した断面図。
【図７】図１の鍵盤装置において鍵タッチを重くしたときの状態を示した断面図。
【図８】この発明の鍵盤装置の第２実施形態を示した断面図。
【図９】（Ａ）はハンマーアームに設けられ、鍵に当接して作用点となる作用点部材を示した正面図、（Ｂ）はその右側面図。
【図１０】図８の鍵が押鍵された状態を示した断面図。
【図１１】図８の鍵盤装置において鍵タッチを軽くしたときの状態を示した断面図。
【図１２】図８の鍵盤装置において鍵タッチをさらに軽くしたときの状態を示した断面図。
【符号の説明】
２  鍵盤シャーシ
３  鍵
７  スイッチ押圧部
１１  ハンマーアーム
１１ａ  上端部
１１ｂ  中間部
１１ｃ  下端部
１９  支点部材
２２  第１の駆動装置
２７  制動部材
３１  第２の駆動装置
【図１】
0003744128.tif 000002
【図２】
0003744128.tif 000003
【図３】
0003744128.tif 000004
【図４】
0003744128.tif 000005
【図５】
0003744128.tif 000006
【図６】
0003744128.tif 000007
【図７】
0003744128.tif 000008
【図８】
0003744128.tif 000009
【図９】
0003744128.tif 000010
【図１０】
0003744128.tif 000011
【図１１】
0003744128.tif 000012
【図１２】
0003744128.tif 000013